(57)【特許請求の範囲】
【請求項１】
ビニールハウスに開口を形成する開口枠に対向して取り付けられる開閉シート（４）と、この開閉シート（４）の下端に取り付けられる巻き付けシャフト（５）と、この巻き付けシャフト（５）を回転駆動する駆動部材（Ｋ）とを備え、
上記駆動部材（Ｋ）で上記巻き付けシャフト（５）を回転することにより、この巻き付けシャフト（５）に上記開閉シート（４）を巻き付けて上記開口を開くビニールハウス用換気装置（Ａ）において、
上記開口枠に上下回転自在に軸支されて先端部（６２）を上記開口枠の下側フレーム（３）に遠近させると共に先端部（６２）に上記巻き付けシャフト（５）を回転自在に挿通する挿通孔（６０）を有するアーム（６）を備えることを特徴とするビニールハウス用換気装置。
【請求項２】
上記アーム（６）と上記開口枠との間に介装されて上記アーム（６）の先端を上記下側フレーム（３）に接近させる方向に附勢する附勢手段（７）を備えることを特徴とする請求項１に記載のビニールハウス用換気装置。
【請求項３】
上記アーム（６）の回転を阻止するアーム回転阻止手段を一または複数備えることを特徴とする請求項１または請求項２に記載のビニールハウス用換気装置。
【請求項４】
上記アーム回転阻止手段が長孔状に形成される上記挿通孔（６０）と、上記開口枠に取り付けられるフック（８）とを備え、
上記開口を閉じたとき、上記挿通孔（６０）の先端側の一部（６０ａ）と上記フック（８）とが重なり、上記挿通孔（６０）の他部（６０ｂ）の縦幅が巻き付けシャフト（５）の直径よりも幅広に形成されることを特徴とする請求項３に記載のビニールハウス用換気装置。
【請求項５】
上記アーム回転阻止手段が上記巻き付けシャフト（５）の端部に固定される爪部材（８０）と、上記開口枠に固定される爪受具（８１）とからなり、
上記開口を閉じたとき、上記爪部材（８０）と上記爪受具（８１）とが係合することを特徴とする請求項３に記載のビニールハウス用換気装置。
【請求項６】
上記アーム回転阻止手段が長孔状に形成されるアーム（６）の挿通孔（６０）と、下側フレーム（３）に沿って固定され下方に向けて開口する断面コ字状のポケット部材（８３）とからなり、
上記開閉シート（４）が上記開口を閉じたとき伸びきり、上記巻き付けシャフト（５）が上記挿通孔（６０）の先端側に配置される長さに設定されてなり、
上記開閉シート（４）の伸びきり後更に上記巻き付けシャフト（５）を回転したとき、上記巻き付けシャフト（５）が上記開閉シート（４）を巻き取って上記ポケット部材（８３）に係合することを特徴とする請求項３に記載のビニールハウス用換気装置。
【請求項７】
上記アーム回転阻止手段が上記巻き付けシャフト（５）と下側フレーム（３）との間に張設されるバンド（９）を備え、
このバンド（９）が上記アーム（６）の上方向への回転を阻止することを特徴とする請求項３から請求項６の何れかに記載のビニールハウス用換気装置。
【請求項８】
上記開口枠を形成する上側フレーム（２）と上記下側フレーム（３）との間に外方側に膨出しながら湾曲する複数のアーチ状フレーム（２０）を架設して、これらアーチ状フレーム（２０）の間に上記開口よりも幅狭の出窓を形成し、
この出窓を上記開閉シート（４）で開閉することを特徴とする請求項１から請求項７の何れかに記載のビニールハウス用換気装置。
【発明の詳細な説明】
【技術分野】
【０００１】
この発明は、農作物や園芸用植物等を育成するために利用されるビニールハウスの妻面、屋根面、側面等に設けられて、ビニールハウス内を換気するビニールハウス用換気装置に関する。
【背景技術】
【０００２】
一般に、上記ビニールハウスは、ビニールハウス内の温度や湿度等を適正に保つと共に害虫や害獣等の侵入を防いで、農作物や園芸用植物等の生育環境を整えるものである。
【０００３】
そして、上記ビニールハウスの妻面、屋根面、側面等には、ビニールハウス内を換気するビニールハウス用換気装置が設けられ、このビニールハウス用換気装置として各種提案がなされている。
【０００４】
例えは、特許文献１に開示のビニールハウス用換気装置は、図８に示すように、ビニールハウスの妻面に形成される出入り口たる開口に対向して設けられ、上記開口をスライドしながら開閉する開閉扉３０の外側に配置される。
【０００５】
上記ビニールハウス用換気装置は、上記開口の上端に沿って吊設される矩形の防虫ネットからなる開閉シート４０と、この開閉シート４０の下端に沿って取り付けられる巻き付けシャフト５０と、この巻き付けシャフト５０に上記開閉シート４０を巻き付ける開閉ベルト５１とを備える。
【０００６】
上記開閉ベルト５１は、上記開閉シート４０の表面及び裏面に沿って配置され、上記開閉シート４０の下端に取り付けられる巻き付けシャフト５０を支点にU字状に折り曲げられる。
【０００７】
そして、上記開閉シート４０の表面側（ビニールハウスの外方側）に配置される開閉ベルト５１の一端側が、上記開閉シート４０の上側に設置されるローラ５２に巻き付けられる。
【０００８】
上記構成を備えることにより、上記ローラ５２を回転駆動して上記開閉ベルト５１を巻き取ると、上記巻き付けシャフト５０が上方に向けて転がりながら上記開閉シート４０を巻き取って開口を開くことが可能となる。
【先行技術文献】
【特許文献】
【０００９】
【特許文献１】特開２００７−２８２５４６号  公報
【発明の概要】
【発明が解決しようとする課題】
【００１０】
上記従来のビニールハウス用換気装置を備えることにより、上記開口に取り付けられる開閉扉３０を開いたとき、上記開口を上記開閉シート４０で閉じて換気すると共に害虫や害獣がビニールハウス内に侵入することを防止することが可能となる。
【００１１】
しかしながら、上記従来のビニールハウス用換気装置においては、雨天の際に換気を行うと開閉シート４０から雨水が吹き込み、農作物や園芸用植物の生育に悪影響を及ぼす虞がある。
【００１２】
そこで、本発明の目的は、雨天の際に換気を行ったとしてもビニールハウス内に雨水が吹き込むことを防止することが可能なビニールハウス用換気装置を提供することである。
【課題を解決するための手段】
【００１３】
上記課題を解決するための手段は、ビニールハウスに開口を形成する開口枠に対向して取り付けられる開閉シートと、この開閉シートの下端に取り付けられる巻き付けシャフトと、この巻き付けシャフトを回転駆動する駆動部材とを備え、上記駆動部材で上記巻き付けシャフトを回転することにより、この巻き付けシャフトに上記開閉シートを巻き付けて上記開口を開くビニールハウス用換気装置において、上記開口枠に上下回転自在に軸支されて先端部を上記開口枠の下側フレームに遠近させると共に先端部に上記巻き付けシャフトを回転自在に挿通する挿通孔を有するアームを備えることである。
【００１４】
この場合において、ビニールハウス用換気装置が上記アームと上記開口枠との間に介装されて上記アームの先端を上記下側フレームに接近させる方向に附勢する附勢手段を備えることが好ましい。
【００１５】
同じく、この場合において、ビニールハウス用換気装置が上記アームの回転を阻止するアーム回転阻止手段を備えることが好ましい。
【００１６】
そして、上記アーム回転阻止手段が長孔状に形成される上記挿通孔と、上記開口枠に取り付けられるフックとを備え、上記開口を閉じたとき、上記挿通孔の先端側の一部と上記フックとが重なり、上記挿通孔の他部の縦幅が巻き付けシャフトの直径よりも幅広に形成されることが好ましい。
【００１７】
また、上記アーム回転阻止手段が上記巻き付けシャフトと下側フレームとの間に張設されるバンドを備え、このバンドが上記アームの上方向への回転を阻止することが好ましい。
【００１８】
また、上記の場合において、上記開口枠を形成する上側フレームと上記下側フレームとの間に外方側に膨出しながら湾曲する複数のアーチ状フレームを架設して、これらアーチ状フレームの間に上記開口よりも幅狭の出窓を形成し、この出窓を上記開閉シートで開閉することが好ましい。
【発明の効果】
【００１９】
本発明によれば、上記アームを備えることにより、上記開閉シートを開口枠から斜めに突出する庇とすることが可能となり、雨天の際に開口から雨水が吹き込むことを防止することが可能となる。
【００２０】
請求項２に係る発明によれば、附勢手段を備えることにより、アームが容易に回転して巻き付けシャフトがバタつき、開閉シートが辛勝することを防止することが可能となる。
【００２１】
請求項３に係る発明によれば、アーム回転阻止手段を備えることにより、アームの回転を更に確実に防止することが可能となる。
【００２２】
請求項４、５、６に係る発明によれば、アーム回転阻止手段を備えることにより、開閉シートで開口を閉じた状態に維持することが確実に可能となる。
【００２３】
請求項７に係る発明によれば、バンドからなるアーム回転阻止手段を備えることにより、開口を開いて開閉シートを庇としたとき、アームが上方向に回転することを確実に阻止することが可能となる。
【００２４】
請求項８に係る発明によれば、出窓を開閉シートで閉じることにより、開口を確実に閉じることが可能となり、また、アーチ状フレームを備えることにより、開閉シートを確実に展張することが可能となる。
【図面の簡単な説明】
【００２５】
【図１】本発明の一実施の形態に係るビニールハウス用換気装置を備えるビニールハウスを部分的に示す斜視図である。
【図２】本発明の一実施の形態に係るビニールハウス用換気装置が開閉シートを閉じた状態を拡大して示す側面図である。
【図３】本発明の一実施の形態に係るビニールハウス用換気装置が開閉シートを開いて庇とした状態を拡大して示す側面図である。
【図４】本発明の一実施の形態に係るビニールハウス用換気装置を部分的に拡大して示す側面図である。
【図５】本発明の一実施の形態に係るビニールハウス用換気装置における閉時アーム回転阻止手段の第一の変形例を示す斜視図である。（ａ）は、爪部材が爪受具に係合する前の状態を示す。（ｂ）は、爪部材を爪受具に係合した状態を示す。
【図６】閉時アーム回転阻止手段の第一の変形例における爪受具の他の実施の形態を示す縦断面図である。
【図７】本発明の一実施の形態に係るビニールハウス用換気装置における閉時アーム回転阻止手段の第二の変形例を示す斜視図である。（ａ）は、開閉シートが伸びきる前の状態を示す。（ｂ）は、開閉シートが伸びきった状態を示す。（ｃ）は、開閉シートが伸びきった後、更に巻き付けシャフトを回転してポケット部材に係合した状態を示す。
【図８】従来のビニールハウス用換気装置を備えるビニールハウスを示す正面図である。
【発明を実施するための形態】
【００２６】
以下、本発明の一実施の形態を示すビニールハウス用換気装置について、図面を参照しながら説明する。いくつかの図面を通して付された同じ符号は、同じ部品かまたはそれに対応する部品を示す。
【００２７】
上記ビニールハウス用換気装置を備えるビニールハウスは、農作物育成用ハウスであり、図１に示すように、列設される複数のアーチ状パイプＰと、このアーチ状バイプＰに沿って展張される透明若しくは半透明の合成樹脂製のシートＳとを備える。
【００２８】
そして、上記ビニールハウスは、妻面に配置される左右の縦材１、１とこれら縦材１、１間に架設される上下の横架材２、３とで形成される上下の開口枠（符示せず）を備え、これら開口枠内に開口及び出入り口をそれぞれ設ける。
【００２９】
上記左右の縦材１、１と上下の横架材２、３とからなる上側の開口枠には、本実施の形態に係るビニールハウス用換気装置Ａが対向して設けられ、上側の開口枠内に開口が形成される。
【００３０】
尚、本実施の形態において、本願特許請求の範囲で言うところの開口枠とは上側の開口枠のことであり、下側フレームは下側の横架材３、上側フレームは上側の横架材２をいう。
【００３１】
一方、上記左右の縦材１、１と下側の横架材３とからなる下側の開口枠には、スライド自在に開閉扉３０が設けられ、作業者がビニールハウス内に出入りするための出入り口が形成される。
【００３２】
上記ビニールハウス用換気装置Ａは、上記ビニールハウスに開口を形成する上側の開口枠に対向して取り付けられる開閉シート４と、この開閉シート４の下端に取り付けられる巻き付けシャフト５と、この巻き付けシャフト５を回転駆動する駆動部材Ｋとを備える。
【００３３】
そして、上記駆動部材Ｋで上記巻き付けシャフト５を回転することにより、上記巻き付けシャフト５に上記開閉シート４を巻き付けて上記開口を開く。
【００３４】
更に、上記ビニールハウス用換気装置Ａは、上記上側の開口枠に上下回転自在に軸支されて先端部６２を下側の横架材３に遠近させると共に先端部６２に上記巻き付けシャフト５を回転自在に挿通する挿通孔６０を有するアーム６を備える。
【００３５】
以下に、本実施の形態に係るビニールハウス用換気装置Ａの各構成部品について詳細に説明する。
【００３６】
ビニールハウスの開口を開閉する開閉シート４は、アーチ状パイプＰに展張するシートＳと同様の透明または半透明の合成樹脂製のシートであり、矩形に形成される。
【００３７】
そして、上記開閉シート４の上端が上側の横架材２に沿って形成される蟻溝に係止線条（符示せず）を介して係止されてなり、上記開閉シート４は上側の横架材２に吊設される。
【００３８】
また、上記開閉シート４の下端に沿って巻き付けシャフト５が取り付けられてなり、この巻き付けシャフト５に巻き取られ若しくは巻き出されることにより、上記開口の開口量を変更することが可能となる。
【００３９】
そして、上記巻き付けシャフト５は、図２、図３に示すように、上記開口を開閉する際、開閉シート４の内側面に沿って移動する。
【００４０】
即ち、巻き付けシャフト５が開閉シート４の先端をビニールハウスの内側に向けて巻き取ることにより、雨水等が展張される開閉シート４と巻き取られた開閉シート４との隙間に溜まることを防止することが可能となる。
【００４１】
尚、開口を開閉する際の巻き付けシャフト５が開閉シート４を巻き取る方向は、上記の限りではなく、図７（ａ）に示すように、巻き付けシャフト５が開閉シート４の先端をビニールハウスの外側に向けて巻き取るとしても良い。
【００４２】
上記巻き付けシャフト５を回転駆動する駆動部材Ｋは、ハンドルＫ１を回転して上記巻き付けシャフト５を回転すると共に、巻き付けシャフト５側から力が入力されたとしても上記ハンドルＫ１が回転しないブレーキ機構を内蔵する。
【００４３】
上記構成を備えることにより、巻き取った開閉シート４の荷重や風等が巻き付けシャフト５に作用したとしても、上記ハンドルＫ１が回転して開閉シート４が巻き出されることを防止することが可能となる。
【００４４】
尚、本実施の形態における駆動部材Ｋは、手動で上記ハンドルＫ１を回転して上記巻き付けシャフト５を回転駆動するものであるがこの限りではなく、モータ等で上記巻き付けシャフト５を回転駆動するとしても良い。
【００４５】
また、上記巻き付けシャフト５の両端部は、上側の開口枠に回転自在に取り付けられる左右一対のアーム６、６の挿通孔６０に挿通してなり、巻き付けシャフト５は上記一対のアーム６、６、に保持される。
【００４６】
上記両アーム６、６は、図２、３に示すように、上側の開口枠に支持材６１を介して取り付けられてなり、先端部６２に上記挿通孔６０を備えると共に、基端部と上記縦材１との間に介装される附勢手段７で先端が下側の横架材３に接近する方向に附勢される。
【００４７】
上記アーム６を回転しながら上記開閉シート４を展張することにより、図３に示すように、開口を開いたときに上記開閉シート４が庇となり、開口から雨が吹き込むことを防止することが可能となる。
【００４８】
また、上記附勢手段７を備えることにより、上記開閉シート４が開口を閉じる方向、即ち、巻き出される方向に附勢されるため、上記開閉シート４を展張して開閉シート４が撓むことを防止する。
【００４９】
また、上記附勢手段７を備えることにより、アーム６が図中上方向に容易に回転して上記開閉シート４がバタつき、開閉シート４が損傷することを防止することが可能となる。
【００５０】
尚、本実施の形態においては、上記附勢手段７がアーム６の基端部と縦材１との間に介装されるとしているがこの限りではなく、アーム６の先端部を下側の横架材３に接近させる方向に附勢し得る限りにおいて、適宜構成を選択することが可能である。
【００５１】
例えば、上記附勢手段７がアーム６の基端部と上側の横架材２との間に介装されるとしても良い。
【００５２】
また、図中には、コイルスプリングからなる附勢手段７を示すがこの限りではなく、附勢手段７をトーションばねや弾性ゴムとする等、附勢手段７の構成を適宜選択することが可能である。
【００５３】
本実施の形態においては、上記開閉シート４のバタツキを更に確実に防止するためにアーム回転阻止手段を備えてなり、このアーム回転阻止手段は、開口を閉じたとき（図２）に上記アーム６の回転を阻止する閉時アーム回転阻止手段と、開口を開いて上記開閉シート４を庇としたとき（図３）に上記アーム６の回転を阻止する開時アーム回転阻止手段とからなる。
【００５４】
上記閉時アーム回転阻止手段は、図２に示すように、長孔状に形成される上記アーム６の挿通孔６０と、縦材１に取り付けられるフック８とを備えてなる。
【００５５】
上記挿通孔６０が形成されるアーム６の先端部６２は、ビニールハウス側にやや傾斜して設けられてなり、アーム６が回転して開口を閉じたとき、上記フック８の内側に配置される。
【００５６】
上記挿通孔６０は、上記アーム６の先端部６１を図１中左右方向に貫通して縦長に形成されてなり、図４に示すように、アーム６が回転して開口を閉じたとき、先端側の一部６０ａが上記フック８と重なる。
【００５７】
このとき、フック８と重ならない挿通孔の他部６０ａの縦幅が巻き付けシャフト５の直径よりも幅広に形成されてなる。
【００５８】
上記構成を備えることにより、開閉シート４が開口を閉じた時点から更に巻き付けシャフト５を回転すると、開閉シート４が更に巻き出されるため、巻き付けシャフト５が挿通孔６０の先端側に移動する（図２、図４）。
【００５９】
したがって、風等の影響を受けて附勢手段７の附勢力に抗してアーム６が回転しようとしても巻き付けシャフト５がフック８に係合しアーム６の回転を阻止することが可能となる。
【００６０】
尚、上記フック８の取り付け位置は上記の限りではなく、下側の横架材３に取り付けるとしても良い。
【００６１】
一方、開口を開いたときアーム６の回転を阻止する開時アーム回転阻止手段は、図３中二点鎖線で記載するように、開閉シート４を庇とした状態で下端を下側の横架材３に結合し、上端を巻き付けシャフト５の端部に結合するベルト９からなる。
【００６２】
上記ベルト９を備えることにより、風で開閉シート４が図３中下方から煽られたとしても、アーム６がベルト長以上図３中上方に回転することを阻止して、開閉シート４がバタつくことを確実に防止することが可能となる。
【００６３】
また、上記ベルト９は、図示しないが、アーム６を回転して開口を閉じるときには巻き付けシャフト５の端部に巻き取られながら収容され、アーム６を回転して開口を開くときには下側の横架材３と巻き付けシャフト５との間に張設されるまで巻き出される。
【００６４】
したがって、上記ベルト９を収容する手間がかからず、ベルト９の長さを適宜設定することで任意の開口量に設定することが可能となる。
【００６５】
尚、上記ベルト９の取り付け方法は、上記の限りではなく、ベルト６の下端を縦材１に結合するとしても良い。
【００６６】
ところで、上側の開口枠には、上側の横架材２と下側の横架材３との間にビニールハウスの外方側に膨出しながら湾曲する三本のアーチ状フレーム２０が架設され、両側のアーチ状フレーム２０、２０の間に開口よりも幅狭の出窓が形成される。
【００６７】
上記各アーチ状フレーム２０には、外方側に長手方向に沿って蟻溝が形成されてなり、両側のアーチ状フレーム２０、２０の間に形成される出窓には防虫ネットＨが展張され、両側のアーチ状フレーム２０、２０と左右の縦材１、１との間にはアーチ状パイプＰに展張される合成樹脂製のシートＳが展張される。
【００６８】
そして、上記出窓を開閉シート４で開閉することにより、開口から害虫や害獣が侵入することを防止することが可能となる。
【００６９】
また、上記アーチ状フレーム２０を備えることにより、出窓を開閉シート４で閉じたとき、開閉シート４がアーチ状フレーム２０に沿って展張されて、風雨がビニールハウス内に浸入することを確実に防止することが可能となる。
【００７０】
尚、本実施の形態においては、アーチ状フレーム２０を三本設け、これらアーチ状フレーム２０の間に架設される水平フレーム２１を設けて防虫ネットＨを展張しているがこの限りではなく、アーチ状フレーム２０及び水平フレーム２１の数量は適宜選択することが可能である。
【００７１】
また、本実施の形態に係るビニールハウス用換気装置Ａは、上記構成を備えることにより、ビニールハウスの妻面を構成する縦材１と横架材２、３を利用して取り付けが可能となり、換気装置を備えていないビニールハウスに後付けすることが可能となる。
【００７２】
また、ビニールハウス用換気装置Ａの構成が簡素であるため、安価に製造及び設置をすることが可能である。
【００７３】
次に、本実施の形態に係るビニールハウス用換気装置Ａの作用について説明する。
【００７４】
まず、ビニールハウス用換気装置Ａが開口を開くときの作用について説明する。
【００７５】
駆動部材ＫのハンドルＫ１を正転して巻き付けシャフト５を回転し開閉シート４を巻き付けシャフト５に巻き取ると、開閉シート４の上端が上側の横架材２に係止されているため、展張されている開閉シート４の縦幅が短くなる。
【００７６】
これにより、アーム６の挿通孔６０の先端側に保持されていた巻き付けシャフト５が図中上方に移動して、巻き付けシャフト５が挿通孔６０の基端側（図４中、他部６０ｂ）に移動する。
【００７７】
更に駆動部材ＫのハンドルＫ１を正転すると、展張されている開閉シート４の縦幅が更に短くなり、附勢部材７の附勢力に抗してアーム６が上方向に回転し、バンド９が既に取り付けられている場合には、バンド９が伸びきるまで開口が開く（図３）。
【００７８】
このとき、開閉シート４を斜めに配置して庇とすることにより、雨水が防虫ネットＨを介してビニールハウス内に侵入することを防止することが可能となる。
【００７９】
尚、バンド９が取り付けられていない場合には、上記開閉シート４が任意の角度となった状態で、巻き付けシャフト５と下側の横架材３との間にバンド９を張設することにより、次回開口を開くとき、開閉シート４を同じ角度に配置して庇とすることが容易に可能となる。
【００８０】
次に、ビニールハウス用換気装置Ａが開口を閉じるときの動作について説明する。
【００８１】
駆動部材ＫのハンドルＫ１を逆転して巻き付けシャフト５を回転して開閉シート４を巻き出すと、巻き付けシャフト５及び開閉シート４の荷重及び附勢部材７の附勢力でアーム６が下方向に回転する。
【００８２】
開閉シート４が開口を閉じた状態で更にハンドルＫ１を逆転すると、開閉シート４が巻き出されて巻き付けシャフト５が挿通孔６０の先端側（図４中、一部６０ａ）に移動してフック８に係合する。
【００８３】
したがって、巻き付けシャフト５と防虫ネットＨとの間に風が吹き込んでアーム６が上方向に回転しようとしても、巻き付けシャフト５がフック８に干渉してアーム６の回転を阻止することが可能となる。
【００８４】
次に、本実施の形態に係るビニールハウス用換気装置における閉時アーム回転阻止手段の第一の変形例について図５、図６を参照して説明する。
【００８５】
尚、図５、図６中には、開閉シート４を省略して示す。
【００８６】
当該第一の変形例に係る閉時アーム回転阻止手段は、図５に示すように、巻き付けシャフト５の端部に固定される爪部材８０と、下側の横架材３に取り付けられる爪受具８１とからなる。
【００８７】
そして、上記爪部材８０は、巻き付けシャフト５と共に図５（ａ）中矢印方向に回転し、アーム６が回転して開口を閉じたとき、図５（ｂ）に示すように、上記爪受具８１に係合する。
【００８８】
したがって、風等の影響を受けて附勢手段７の附勢力に抗してアーム６が回転しようとしても、爪部材８０が爪受具８１に係合してアーム６の回転を阻止することが可能となる。
【００８９】
また、開口を開く場合においては、駆動部材ＫのハンドルＫ１を回転して巻き付けシャフト５を図５（ａ）中の矢印と逆方向に回転することにより、爪部材８０と爪受具８１との係合を容易に解除することが可能となる。
【００９０】
尚、本実施の形態において上記爪受具８１が下側の横架材３に取り付けられるとしているがこの限りではなく、縦材１に取り付ける等、爪部材８０の取り付け位置に応じて適宜取り付ける場所を選択することが可能である。
【００９１】
また、図５中において、上記爪受具８１は、矩形枠状とされているがこの限りではなく、図６に示すように、爪部材８０に係合する湾曲片８２とするとしても良く、適宜形状を選択することが可能である。
【００９２】
また、本実施の形態において、アーム６の挿通孔６０が縦長に形成された状態を示すがこの限りではなく、本変形例に係る閉時アーム回転阻止手段においては、アーム６が巻き付けシャフト５の回転を許容しながら保持し得る限りにおいて、適宜挿通孔６０の形状を選択することが可能である。
【００９３】
また、本実施の形態において、開口を開閉する際、巻き付けシャフト５が図５中に示さない開閉シート４の外側（ビニールハウスの外方側）に配置され、巻き付けシャフト５の回転方向が上記図１乃至図４に示す実施の形態と正逆が逆となる。
【００９４】
しかしながら、巻き付けシャフト５が開閉シート４を巻き取る方向は、図１乃至図４と同様にしても良く、この場合においては、爪部材８０を図５と逆向きに取り付けるとすれば良い。
【００９５】
次に、本実施の形態に係るビニールハウス用換気装置における閉時アーム回転阻止手段の第二の変形例について説明する。
【００９６】
当該第二の変形例に係る閉時アーム回転阻止手段は、図７に示すように、長孔状に形成されるアーム６の挿通孔６０と、下側の横架材３に沿って固定され下方に向けて開口する断面コ字状のポケット部材８３とを備えてなる。
【００９７】
また、本変形例に係る閉時アーム回転阻止手段を備える場合において、開閉シート４は、開口を閉じたとき伸びきり、巻き付けシャフト５が挿通孔６０の先端側に配置される長さに設定される（図７（ｂ））。
【００９８】
また、本変形例に係る閉時アーム回転阻止手段を備える場合において、巻き付けシャフト５は、開口を開閉する際、図７（ａ）に示すように、開閉シート４の外側（ビニールハウスの外方側）に配置され、巻き付けシャフト５の回転方向が上記図１乃至図４に示す実施の形態と正逆が反対となる。
【００９９】
上記巻き付けシャフト５は、開口を閉じる際、開閉シート４の内側（ビニールハウスの内方側）に向けて、図７（ａ）中矢印方向に回転する。
【０１００】
そして、開閉シート４で開口を閉じた状態（図７（ｂ））で、更に同方向にハンドルＫ１を矢印方向に回転すると、図７（ｃ）に示すように、開閉シート４が巻きつけシャフト５の逆側に巻き取られ、巻き付けシャフト５がポケット部材８３に係合する。
【０１０１】
したがって、風等の影響を受けて附勢手段７の附勢力に抗してアーム６が回転しようとしても、巻き付けシャフト５がポケット部材８３に係合してアーム６の回転を阻止することが可能となる。
【０１０２】
また、開口を開く場合においては、駆動部材ＫのハンドルＫ１を回転して巻き付けシャフト５を図７中の矢印方向と逆に回転することにより、開閉シート４を巻き出して巻き付けシャフト５とポケット部材８３との係合を容易に解除することが可能となる。
【０１０３】
以上、本発明の好ましい実施の形態を説明したが、特許請求の範囲から逸脱することなく改造、変形及び変更を行うことができることは理解すべきである。
【０１０４】
例えば、上記実施の形態においては、ビニールハウス用換気装置Ａをビニールハウスの妻面に設けるとしたがこの限りではなく、ビニールハウスの側面や屋根面に設けても良いことは勿論である。
【符号の説明】
【０１０５】
Ａ  ビニールハウス用換気装置
Ｋ  駆動部材
Ｈ  防虫ネット
Ｓ  シート
Ｐ  アーチ状パイプ
１  縦材
２  上側の横架材、上側フレーム
３  下側の横架材、下側フレーム
４、４０  開閉シート
５、５０  巻き付けシャフト
６  アーム
６０  挿通孔
７  附勢手段
８  フック
９  バンド
８０  爪部材
８１  爪受具
８２  湾曲片
８３  ポケット部材
【図１】
0005417260.tif 000002
【図２】
0005417260.tif 000003
【図３】
0005417260.tif 000004
【図４】
0005417260.tif 000005
【図５】
0005417260.tif 000006
【図６】
0005417260.tif 000007
【図７】
0005417260.tif 000008
【図８】
0005417260.tif 000009